(57)【要約】      （修正有）【課題】ゲル状、液状又はゼリー状の保温剤を密封し、保温性に優れ、取り扱いが容易な浴槽内で身体を支える浴槽用クッションを提供する。【解決手段】ビニールシート１の袋に保温剤を密封してクッション本体９を構成し、それを使い易くするためにネット製の袋状カバー１１に収容して、浴槽内で自由な位置にあてがい使用する浴槽用クッションである。袋体となるビニールシートには環状の溶着部５が形成され、この溶着部５には保温剤が浸入できないようになっており、保温剤の片寄りを防ぐことができる。【選択図】図５
0003203934.tif 000002
【実用新案登録請求の範囲】
【請求項１】
ビニール製の袋体と、この袋体に注入された状態で密封された保温剤とを備え、前記袋体には内容物である保温剤の片寄りを調整するための、保温剤が浸入不可の接着部分が設けられている浴槽用クッション。
【請求項２】
密封した前記袋体のビニールを、ネット製の袋状カバーに収容したことを特徴とする請求項１記載の浴槽用クッション。
【考案の詳細な説明】
【技術分野】
【０００１】  本考案は、例えば入浴時、浴槽内において入浴者の背面と浴槽の間に置いて挟み、身体の緊張をやわらげるようにするものである。
【背景技術】
【０００２】健常者や体力の衰えた者が浴槽内でリラックスするためにクッションがあるとよい。
こういったクッションとしては、例えば特許文献１に記載されたようなクッションがある。このクッションはビニール製であり、空気を注入することにより、入浴者の背中や臀部にあてがうものである。
【先行技術文献】
【特許文献】
【０００３】
【特許文献１】特開２００９−０３９２１５号公報
【考案の概要】
【考案が解決しようとする課題】
【０００４】  ところが特許文献１のクッションは中身が空気であるため、湯の中で使用すると浮きあがってしまう。そこで浮きあがらないように吸盤を備えているが、吸盤で浴槽に固定すると、自由に動かして使用することができなくなってしまう。【０００５】  そこで、本考案は、保温性に優れ、取り扱いが容易で背中や脇に簡単に移動させてあてがうことができる、柔軟で変形自在の浴槽用クッションの提供を目的とする。
【課題を解決するための手段】
【０００６】本考案は、ビニール製の袋体と、この袋体に注入された状態で密封された保温剤とを備え、前記袋体には内容物である保温剤の片寄りを調整するための、保温剤が浸入不可の接着部分が設けられている、お湯の中でもやわらかく、むやみに浮かびあがらず人の身体を支える浴槽用クッションである。例えば２枚のビニールシートを接着して袋体を形成し、ゲル状、液状又はゼリー状などの保温剤を注入したものである。保温剤又は内容物の片寄りを調整するための、浸入不可の接着部分を形成しておくと効果的である。扱い易いようにまた肌ざわりをよくするように、ネット製の袋状カバーに収容し給湯時から浴槽に入れておき、湯の中でクッションのように使うものである。
【考案の効果】
【０００７】  保温剤により保温性に優れ、またビニール及びやわらかいネットを用いているので変形自在である。さらに空気は注入していないので、または空気はほとんどあるいはあまり多くは注入していないので、湯に浮きあがってしまうこともなく、しかも保温剤がゲル状、液状又はゼリー状などであるので、十分なクッション性を備えている。
【図面の簡単な説明】
【０００８】
【図１】  本考案の浴槽用クッションの製造方法を説明する図であり、２枚のビニールシートに環状の接着部を形成する場合の図である。
【図２】  本考案の浴槽用クッションの製造方法を説明する図であり、２枚のビニールシートを袋体に形成し保温剤を注入する場合の図である。
【図３】  ２枚のビニールシートに保温剤を封入して、クッション本体を形成した状態を示す図である。
【図４】  クッション本体を収容するためのネット製の袋状カバーを示す図である
【図５】  クッション本体をネット製の袋状カバーに収容した浴槽用クッションの断面図である。
【図６】  浴槽用クッションの別の構成を示す図である。
【図７】  本考案の浴槽用クッションの使用方法を説明する図である。
【考案を実施するための形態】
【０００９】  図１及至図３を用いて本考案の係る浴槽用クッションの製造方法を説明する。
【００１０】  先ず、同じ大きさの長方形の２枚のビニールシート１，１を用意する。（図１（ａ））。
次に、２枚のビニールシート１，１を重ねあわせ、加熱した溶着リング３を、重ねあわせたビニールシートの上面に押し付け、２枚のビニールシート１，１に、保温剤が浸入しない部位である環状溶着部５（浸入不可の接着部分）をつくる。
【００１１】  図２（ａ）に示すように、環状溶接部５を複数個所に施してから、２枚のビニールシート１，１の周縁を、一辺部７のみを残して溶着する（図２（ｂ））。そして２枚のビニールシート１，１の周縁の、一辺部の開口部７からゲル状、液状又はゼリー状などの保温剤を注入し（図２（ｃ））、この開口部７を溶着してゲル状、液状又はゼリー状などの保温剤を封入する。
【００１２】  袋体となったビニールシート１，１に所定量の保温剤を入れて、周縁の一辺部の開口部７を溶着して形成したクッション本体９（図３）を図４に示すネット製の袋状カバー１１に収容して浴槽用クッション１２を形成する（図５）。ネット製の袋状カバー１１は開口を開閉するファスナー１３を有していて、このファスナー１３を開けてクッション本体９を出し入れできる。
【００１３】    なお、図５では、ネット製の袋状カバー１１にクッション本体９を１つ収容したが、図６に示すようにクッション本体９を２つ収容してもよい。
【００１４】  このように構成した浴槽用クッション１２は、例えば図７（ａ）に示すように、背中と浴槽の間に挟んで使用することができる。また図７（ｂ）に示すように両脇において使用することもできる。
【００１５】  ビニールシート１，１の大きさは約４０ｃｍ×２８ｃｍとすることができ、ネット製の袋状カバー１１は４０ｃｍ×２５ｃｍとすることができる。ここでネット製の袋状カバー１１を小型で厚みの大きいものとすると、背中にあてがった時などに安定しない。また、クッション本体９の重さは９００ｇとすることができる。保温剤は、水と防腐剤と食品添加物のＣＭＣ（カルボキシ  メチール  セルロース）とを混合して作ることができる。
【００１６】  またネット製の袋状カバー１１に収容したクッション本体９を湯からあげて、そのままバーにかけておいた場合、２４時間以内には必らず乾いていると思ってよい。
【００１７】  なお、数個の風船をネット製の袋状カバー１１に収容したものは、浮力が強すぎるため危険を伴い使用しづらい。レンガ大の発泡スチロールをネット製の袋状カバー１１に収容したものは硬くて使用感が悪く扱いにくいため使用しづらい。複数枚の薄いスポンジを、ネット製の袋状カバー１１に収容したものは、使用感がことさら悪いということはなく、浮きあがる力が強すぎるということもないが、使用後に絞って干しても乾くまでに長い時間を要するという欠点のため使用しづらい。本考案の浴槽用クッションは、その容積分の湯量を節約することができる。
【符号の説明】
【００１８】  １  ビニールシート
３  溶着リング
５  環状溶着部
７  開口部
９  クッション本体
１１  ネット製の袋状カバー
１２  浴槽用クッション
１３  ファスナー
【図１】
0003203934.tif 000003
【図２】
0003203934.tif 000004
【図３】
0003203934.tif 000005
【図４】
0003203934.tif 000006
【図５】
0003203934.tif 000007
【図６】
0003203934.tif 000008
【図７】
0003203934.tif 000009